(57)【要約】【課題】大量の降雨や積雪があっても、十分な防水性能を確保できるようにする。【解決手段】屋根の棟部分に設けた屋根開口部７の上方に、排気孔２０を有する換気棟板１３が設けられ、換気棟板１３の下方に、棟板受け１４が設けられ、排気孔２０の下方に、止水部材５１が設けられて、止水部材５１と棟板受け１４との間に、屋根開口部７からの排気を棟側から軒側に流して排気孔２０から外部に排出するように換気通路５８が形成された換気棟において、前記止水部材５１は、排気孔２０から侵入した所定量以上の降雨又は積雪の重みで前記換気通路５８を狭めるように下方に傾斜自在とされている。【選択図】      図２
2004339899.tif 000002
【特許請求の範囲】
【請求項１】
屋根の棟部分に設けた屋根開口部（７）の上方に、排気孔（２０）を有する換気棟板（１３）が設けられ、換気棟板（１３）の下方に、棟板受け（１４）が設けられ、排気孔（２０）の下方に、止水部材（５１）が設けられて、止水部材（５１）と棟板受け（１４）との間に、屋根開口部（７）からの排気を棟側から軒側に流して排気孔（２０）から外部に排出するように換気通路（５８）が形成された換気棟において、
前記止水部材（５１）は、排気孔（２０）から侵入した所定量以上の降雨又は積雪の重みで前記換気通路（５８）を狭めるように下方に傾斜自在とされていることを特徴とする換気棟。
【請求項２】
前記止水部材（５１）は、換気棟板（１３）及び棟板受け（１４）とは別体に構成され、排気孔（２０）から侵入した所定量以上の降雨又は積雪の重みで下方傾斜するように、換気棟板（１３）又は棟板受け（１４）に弾性体（５５）を介して連結されていることを特徴とする請求項１に記載の換気棟。
【請求項３】
前記止水部材（５１）は、換気棟板（１３）又は棟板受け（１４）と一体に形成されると共に、排気孔（２０）から侵入した所定量以上の降雨又は降雪の重みで下方傾斜するように、弾性変形自在又は撓み変形自在に形成されていることを特徴とする請求項１に記載の換気棟。
【発明の詳細な説明】
【０００１】
【発明の属する技術分野】
本発明は、住宅等の屋根に設置される換気棟に関する。
【０００２】
【従来の技術】
住宅等の屋根に設置される換気棟には、図１２に示すように、屋根の棟部分に設けた屋根開口部７１の上方に、棟を挟む一対の屋根面間に跨るように換気棟板７２が設けられ、該換気棟板７２は、一対の屋根面に沿うように山形状に形成された一対の傾斜部７３を有し、一対の傾斜部７３に排気孔７６が設けられ、換気棟板７２の下方に、棟板受け７７が設けられ、排気孔７６の下方に、棟板受け７７に一体に形成した止水部材７８が設けられて、止水部材７８と棟板受け７７との間に、屋根開口部７１からの排気を棟側から軒側に流して排気孔７６から外部に排出するように換気通路７９が形成されたものがある（例えば、特許文献１）。
【０００３】
【特許文献１】
特開平９−７８７８２号公報
【特許文献２】
特開平１０−００８６７２号公報
【特許文献１】
登録実用新案第３０８９９７４号公報
【０００４】
【発明が解決しようとする課題】
しかし、従来の換気棟では、側方から吹く風による防水性能には問題がないが、上からの大量の降雨による防水性の確保は構造上できないため、排水能力を超える大量の降雨があった場合に、排気孔７６から侵入した雨水が、止水部材７８と棟板受け７７との間の換気通路７９から屋根開口部７１側に流出して、防水性が損なわれるという問題があった。また、降雪により、排気孔７６から雪が侵入して換気棟板７２と棟板受け７７との間に積雪した場合等には、雪が融けると、止水部材７８と棟板受け７７との間の換気通路７９から融けた水が屋根開口部７１側に流出して、防水性が損なわれるという問題もあった。
【０００５】
本発明は上記問題点に鑑み、大量の降雨や積雪があっても、十分な防水性能を確保できるようにしたものである。
【０００６】
【課題を解決するための手段】
この技術的課題を解決するための本発明の技術的手段は、屋根の棟部分に設けた屋根開口部７の上方に、排気孔２０を有する換気棟板１３が設けられ、換気棟板１３の下方に、棟板受け１４が設けられ、排気孔２０の下方に、止水部材５１が設けられて、止水部材５１と棟板受け１４との間に、屋根開口部７からの排気を棟側から軒側に流して排気孔２０から外部に排出するように換気通路５８が形成された換気棟において、
前記止水部材５１は、排気孔２０から侵入した所定量以上の降雨又は積雪の重みで前記換気通路５８を狭めるように下方に傾斜自在とされている点にある。
【０００７】
また、本発明の他の技術的手段は、前記止水部材５１は、換気棟板１３及び棟板受け１４とは別体に構成され、排気孔２０から侵入した所定量以上の降雨又は積雪の重みで下方傾斜するように、換気棟板１３又は棟板受け１４に弾性体５５を介して連結されている点にある。
また、本発明の他の技術的手段は、前記止水部材５１は、換気棟板１３又は棟板受け１４と一体に形成されると共に、排気孔２０から侵入した所定量以上の降雨又は降雪の重みで下方傾斜するように、弾性変形自在又は撓み変形自在に形成されている点にある。
【０００８】
【発明の実施の形態】
以下、本発明を図示の実施の形態に従って説明する。
図１において、１は棟木、２は垂木、３は野地板で、棟木１と垂木２とで組み上げた屋根４の骨組上に張り付けられている。野地板３の上面に、アスファルトルーフィング等の防水シート５が敷かれ、その上にストレート瓦等の屋根材６が葺かれている。
屋根４の棟部分に、野地板３及び屋根材６等を切り欠いてなる屋根開口部７が設けられ、この屋根開口部７の上方に、棟を挟む一対の屋根面４ａ，４ｂ間に跨るように換気棟１１が設けられている。なお、８は屋根開口部７に対応して設けた水切り部材である。
【０００９】
図１〜図５において、前記換気棟１１は、板金製の換気棟板１３と板金製の左右一対の棟板受け１４とを備えている。
換気棟板１３は、一対の屋根面４ａ，４ｂに沿うように山形状に形成された一対の傾斜部１５と、一対の傾斜部１５の外側端から下方に突出された一対の起立部１６と、一対の起立部１６の下端から屋根面４ａ，４ｂに添うように屋根流れ方向に突出された一対の設置部１７とを有している。換気棟板１３の設置部１７の外端部に、下側にＵ字状に折り返してなる折り返し部１９が設けられている。
【００１０】
図４に示すように、一対の傾斜部１５の外側部側（軒側）に、複数（図例では２個）の排気孔２０が屋根流れ方向に連続するように設けられ、この連続する複数（２個）ずつの換気孔２０が、棟方向に間隔をおいて複数設けられている。各換気孔２０は、傾斜部１５に風避け片２１を下方に切り起こすことにより形成され、風避け片２１は円弧状に湾曲形成されている。傾斜部１５の換気孔２０間に、固定用の上取付孔２４が棟方向に間隔をおいて複数個設けられている。図１〜図３に示すように、一対の傾斜部１５の棟側の下面に、防露材１８が設けられている。
【００１１】
図１〜図３及び図５に示すように、棟板受け１４は、一対の傾斜部１５の外側部側（軒側）の下方にそれぞれ配置され、防水材２２を介して屋根面４ａ，４ｂ上に設置されている。各棟板受け１４は、傾斜部１５の排気孔２０に対向する受け板部２７と、受け板部２７の内側端から上方に突出した起立部２８と、起立部２８の上端から屋根流れ方向に突出した接当部２９と、接当部２９の外側端から下方に突出した垂下部３０とを有する。また、棟板受け１４の受け板部２７の外側端側に、換気棟板１３の設置部１７の下面側に沿うように、屋根流れ方向に突出した突出板部３２が設けられている。
【００１２】
図２、図３及び図５に示すように、棟板受け１４の起立部２８に排気口２６が設けられ、棟板受け１４の受け板部２７に、固定用の下取付孔３４が棟方向に間隔をおいて複数個設けられ、この固定用の下取付孔３４は、傾斜部１５の固定用の上取付孔２４に対応している。
接当部２９が換気棟板１３の傾斜部１５に下側から接当されている。また、突出板部３２の突出端部が、換気棟板１３のＵ字状の折り返し部１９に嵌合され、これにより、棟板受け１４上の水が突出板部３２を伝わって折り返し部１９から屋根面４ａ，４ｂ上に排出されるようになっている。棟板受け１４の突出板部３２よりも屋根流れ方向の上側に、排水孔３７が設けられている。
【００１３】
換気棟板１３の固定用の上取付孔２４の開口縁部３９が、バーリングにより上方に突出した環状に形成され、棟板受け１４の固定用の下取付孔３４の開口縁部４０が、バーリングにより上方に突出した環状に形成されている。
換気棟板１３の傾斜部１５と棟板受け１４との間にスペーサ部材４２が設けられ、スペーサ部材４２を貫通する釘、ねじ釘、ビス等の固定具４３により、傾斜部１５と棟板受け１４とが屋根面４ａ，４ｂに固定されている。
図２、図３及び図６〜図８に示すように、スペーサ部材４２は、ゴムや弾性を有する合成樹脂等により円筒状に形成され、スペーサ部材４２の軸心方向に、釘等の固定具４３を挿通する挿通孔４４が形成され、スペーサ部材４２の上端部に、上取付孔２４の開口縁部３９を係止する上係止部４７が設けられ、スペーサ部材４２の下端部に、下取付孔３４の開口縁部４０を係止する下係止部４８が設けられている。
【００１４】
上係止部４７は、スペーサ部材４２の上端部外周面に没入形成した環状溝により構成され、上係止部４７に上取付孔２４の開口縁部３９が外嵌されて、上係止部４７で上取付孔２４の開口縁部２４を上下移動不能に係止している。下係止部４８は、スペーサ部材４２の下端部に設けたフランジ部により構成され、下係止部４８の外径は下取付孔３４の孔径より大に形成され、下係止部４８は下取付孔３４に挿通不能になっており、下取付孔３４の開口縁部４０がスペーサ部材４２の下係止部４８の上方に外嵌されて、下係止部４８で下取付孔３４の開口縁部４０を下方移動を規制するように係止している。
【００１５】
スペーサ部材４２の上係止部４７より上方に、上方に向けて徐々に小径となるテーパー部４９が設けられ、テーパー部４９は上取付孔２４に下側から挿通可能とされている。スペーサ部材４２の下係止部４８より上方側は、その外径が下取付孔３４の孔径と略同一に形成され、下取付孔３４に挿通可能とされている。
上記の如く上係止部４８で上取付孔２４の開口縁部３９を上下移動不能となるように係止すると共に、下係止部４８で下取付孔３４の開口縁部４０を下方移動を規制するように係止することにより、スペーサ部材４２で換気棟板１３と棟板受け１４とを互いに離間しないように締結している。接当部２９の傾斜部１５への接当及び突出板部３２の突出端部の折り返し部１９への圧接により、換気棟板１３と棟板受け１４との近接方向への移動が規制され、これにより、換気棟板１３と棟板受け１４とが相対移動不能に固定されている。
【００１６】
スペーサ部材４２に防水材２２が貼り付けられ、スペーサ部材４２は防水材２２を介して屋根面４ａ，４ｂ上に配置され、ねじ釘、釘等の固定具４３が固定用の上取付孔２４、スペーサ部材４２及び下取付孔３４に挿通されて、屋根面４ａ，４ｂに打ち付けられ、これにより、釘等の固定具４３によって、換気棟板１３の傾斜部１５と棟板受け１４の受け板部２７との間にスペーサ部材４２を介在した状態で、釘等の固定具４３により、傾斜部１５と受け板部２７とが屋根面４ａ，４ｂに固定されている。
【００１７】
図２、図３及び図５に示すように、換気棟板１３と棟板受け１４との間の排気孔２０の下方に、止水部材５１が設けられ、止水部材５１は、換気棟板１３及び棟板受け１４とは別体に構成されている。止水部材５１は、取付板部５２と止水板部５３とを有し、取付板部５２が後述の如く棟板受け１４の垂下部３０に連結され、止水部材５１の止水板部５３は、排気孔２０よりも軒側に突出されており、止水部材５１と棟板受け１４との間に、屋根開口部７からの排気を棟側から軒側に流して排気孔２０から外部に排出するように換気通路５８が形成されている。
【００１８】
また、止水板部５３に、スペーサ部材４２を挿通するための挿通部５９が設けられれている。この挿通部５９は円形の開口孔により形成され、止水板部５３は、挿通部５９を介してスペーサ部材４２に対して軸方向（略上下方向）に移動自在に外嵌されている。
取付板部５２と棟板受け１４の垂下部３０との間に、ゴム等の弾性体５５が設けられ、リベット等の締結具５６により、取付板部５２と垂下部３０とが弾性体５５を挟んで締結され、これにより、止水部材５１が棟板受け１４に弾性体５５を介して連結され、排気孔２０から侵入した所定量以上の降雨又は積雪の重みで、弾性体５５が弾性変形することにより、止水部材５１が鎖線の如く下方傾斜し、これにより換気通路５８を狭めて閉塞させるようになっている。
【００１９】
上記実施の形態によれば、屋根開口部７から排出された排気は、図３に矢印ａで示す如く、棟板受け１４の排気口２６を通って、止水部材５１と棟板受け１４との間の換気通路５８に入り、換気通路５８内を換気棟板１３の排気孔２０よりも軒側に流出する。その後、排気は、止水部材５１の上側に流れて排気孔２０から外部に排気される。一方、排気孔２０から棟板受け１４上に侵入した雨水等の水は、突出板部３２を伝わって、まず、排水孔３７から屋根面４ａ，４ｂ上に排出され、排水孔３７がオーバーフローしても、残った水は、折り返し部１９側から屋根面４ａ，４ｂ上に排出される。しかも、棟板受け１４と屋根面４ａ，４ｂとの間に防水材２２が介在されているため、棟板受け１４と屋根面４ａ，４ｂとの間に排水路を確保することができる。従って、棟板受け１４上に侵入した水を、屋根面４ａ，４ｂ上にスムーズに排水できる。
【００２０】
そして、排水能力を超える大量の降雨があった場合に、排気孔２０から侵入した雨水が止水部材５１上に流れ、降雨の重みで、図２及び図３に鎖線で示すように、弾性体５５が弾性変形することによって止水部材５１が下方傾斜し、これにより換気通路７９を狭めて閉塞させる。また、降雪により、排気孔２０から雪が侵入して止水部材３１上に積雪した場合にも、積雪の重みで、図２及び図３に鎖線で示すように、弾性体５５を弾性変形させることによって止水部材５１が下方傾斜し、これにより換気通路５８を狭めて閉塞させる。従って、大量の降雨や積雪があっても、排気孔２０から侵入した雨水等が、止水部材５１と棟板受け１４との間の換気通路５８から屋根開口部７側に流出するのを、止水部材５１によって確実に防ぐことができて、十分な防水性能を確保することができる。
【００２１】
図９は他の実施形態を示し、前記実施の形態の場合と同様に止水部材５１は、換気棟板１３及び棟板受け１４とは別体に構成され、止水部材５１が、棟板受け１４に代えて換気棟板１３に弾性体５５を介して連結され、排気孔２０から侵入した所定量以上の降雨又は積雪の重みで、弾性体５５が弾性変形することにより、止水部材５１が下方傾斜し、これにより換気通路７９を狭めて閉塞させるようになっている。その他の点は、前記実施の形態の場合と同様の構成であり、前記実施の形態の場合と同様に、大量の降雨や積雪があっても、十分な防水性能を確保することができる。
【００２２】
図１０は他の実施形態を示し、止水部材５１は、棟板受け１４と一体に形成され、止水部材５１は、棟板受け１４の垂下部３０の下端から、棟板受け１４よりも弾性変形乃至撓み変形し易くなるように、その板厚が薄く形成されて、屋根流れ方向の軒側に突設されており、排気孔２０から侵入した所定量以上の降雨又は降雪の重みで下方傾斜するように、弾性変形自在又は撓み変形自在に形成されている。その他の点は前記実施の形態の場合と同様の構成であり、前記実施の形態の場合と同様に、大量の降雨や積雪があっても、十分な防水性能を確保することができる。
【００２３】
図１１は他の実施形態を示し、止水部材５１の軒側端部に起立片６１を突設し、止水部材５１上に水を貯められるようにしたものである。その他の点は前記実施の形態の場合と同様の構成であり、前記実施の形態の場合と同様に、大量の降雨や積雪があっても、十分な防水性能を確保することができる。
なお、前記実施の形態では、止水板部５３に設けた挿通部５９が、円形の開口孔により形成されているが、止水板部５３の挿通部５９を、開口孔に代えて、切り欠き凹部その他により形成するようにしてもよい。
【００２４】
また、前記実施の形態では、止水部材５１を、換気棟板１３又は棟板受け１４に弾性体５５を介して連結し、又はその板厚を薄く形成することにより、下方に傾斜自在としているが、これに代え、止水部材５１の材質を弾性変形自在又は撓み変形自在のものに変更することにより、排気孔２０から侵入した所定量以上の降雨又は積雪の重みで換気通路５８を狭めるように下方に傾斜自在としてもよい。
また、前記図１０の実施の形態では、止水部材５１は、棟板受け１４と一体に形成されているが、これに代え、止水部材５１を、換気棟板１３に一体に形成し、例えば止水部材５１を薄く形成することにより、排気孔２０から侵入した所定量以上の降雨又は降雪の重みで下方傾斜するように、止水部材５１を弾性変形自在又は撓み変形自在に構成するようにしてもよい。
【００２５】
【発明の効果】
本発明によれば、大量の降雨や積雪があっても、十分な防水性能を確保することができる。
【図面の簡単な説明】
【図１】本発明の一実施の形態を示す換気棟の概略断面図である。
【図２】同換気棟の固定具及び止水部材部分の断面図である。
【図３】同換気棟の排気孔及び止水部材部分の断面図である。
【図４】同換気棟板の平面図である。
【図５】同棟板受けの斜視図である。
【図６】同スペーサ部材の正面図である。
【図７】同スペーサ部材の平面図である。
【図８】同スペーサ部材の断面図である。
【図９】他の実施形態を示す換気棟の排気孔及び止水部材部分の断面図である。
【図１０】他の実施形態を示す換気棟の排気孔及び止水部材部分の断面図である。
【図１１】他の実施形態を示す換気棟の排気孔及び止水部材部分の断面図である。
【図１２】従来例を示す概略断面図である。
【符号の説明】
７    屋根開口部
１１    換気棟
１３    換気棟板
１４    棟板受け
２０    排気孔
５１    止水部材
５５    弾性体
５８    換気通路
【図１】
2004339899.tif 000003
【図２】
2004339899.tif 000004
【図３】
2004339899.tif 000005
【図４】
2004339899.tif 000006
【図５】
2004339899.tif 000007
【図６】
2004339899.tif 000008
【図７】
2004339899.tif 000009
【図８】
2004339899.tif 000010
【図９】
2004339899.tif 000011
【図１０】
2004339899.tif 000012
【図１１】
2004339899.tif 000013
【図１２】
2004339899.tif 000014